(57)【要約】  【課題】複数枚の羽根を同じ厚さに薄くしても、一番作動量の大きい羽根が、作動中や停止時に大きく変形したり破損したりしずらいシャッタ羽根を備えたカメラ用フォーカルプレンシャッタを提供すること。  【解決手段】先羽根群は、アーム１２，１３に枢支された同じ厚さの３枚の羽根１４〜１６を有しており、後羽根群は、アーム１７，１８に枢支された同じ厚さの３枚の羽根１９〜２１を有している。それらのうち、後羽根群についていえば、羽根１９，２１はポリエチレンテレフタレート製であり、羽根２０はアルミ合金製であって、一番作動量の大きい羽根２１よりも２番目に作動量の大きい羽根２０の方が、剛性が大きくなるように製作されている。【選択図】  図１
2006208980.tif 000002
【特許請求の範囲】
【請求項１】
複数枚の羽根の重なりを最大にした重畳位置と最小にした展開位置との間を往復作動することによって露光開口の開閉を行う少なくとも一つのシャッタ羽根を備えており、該複数枚の羽根は、厚さが略同じであって、作動量の大きい順に数えて１番目の羽根と２番目の羽根とでは、該２番目の羽根の剛性が該１番目の羽根の剛性よりも大きいことを特徴とするカメラ用フォーカルプレンシャッタ。
【請求項２】
前記１番目の羽根は、ヤング率が３００〜２０００ｋｇｆ／ｍｍ2で、前記２番目の羽根は、ヤング率が５０００〜１２０００ｋｇｆ／ｍｍ2であることを特徴とする請求項１に記載のカメラ用フォーカルプレンシャッタ。
【請求項３】
前記１番目の羽根の材料が、ポリエチレンテレフタレートであることを特徴とする請求項１又は２に記載のカメラ用フォーカルプレンシャッタ。
【請求項４】
前記２番目の羽根の材料が、アルミニウム合金又は炭素繊維強化プラスチックであることを特徴とする請求項１乃至３のいずれかに記載のカメラ用フォーカルプレンシャッタ。
【請求項５】
前記複数枚の羽根のうち、作動量の大きい順に数えて奇数番目の羽根が、前記１番目の羽根と同じ材料で製作され、偶数番目の羽根が、前記２番目の羽根と同じ材料で製作されていることを特徴とする請求項１乃至４のいずれかに記載のカメラ用フォーカルプレンシャッタ。
【請求項６】
前記少なくとも一つのシャッタ羽根が、撮影時には同一方向へ順に作動を開始させられる先羽根群と後羽根群の二つのシャッタ羽根であって、それらのうち、後羽根群の複数枚の羽根だけが、請求項１乃至５のいずれかに記載の構成をしていることを特徴とするカメラ用フォーカルプレンシャッタ。
【発明の詳細な説明】
【技術分野】
【０００１】
本発明は、独特な構成のシャッタ羽根を備えているカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室に、先羽根群，後羽根群と称されている二つのシャッタ羽根を個別に配置するようにしたものと、シャッタ地板と補助地板との間に構成された羽根室に、一つのシャッタ羽根を配置するようにしたものとが知られている。そして、前者のフォーカルプレンシャッタは、銀塩フィルムカメラにもデジタルカメラにも採用することができるが、後者のフォーカルプレンシャッタは、デジタルカメラにだけ採用することができるものである。
【０００３】
また、いずれのフォーカルプレンシャッタの場合でも、各々のシャッタ羽根の構成は略同じであって、各々が長さ方向の一端を一方の地板に回転可能に取り付けられている複数本のアームと、各々がそれらのアームの他端に向けて順に枢支されている短冊状の複数枚の羽根とで構成されており、それらのアームの一つが駆動部材によって所定の回転角度で往復作動させられると、複数枚の羽根は、露光開口から退いて相互の重なりを最大にしている重畳位置と、露光開口を覆っていて相互の重なりを最小にしている展開位置との間を、相互に略平行関係を保ちながら往復作動させられるようになっている。そのため、各羽根の作動量は、アームの他端側に枢支されている羽根ほど大きくなるようになっている。
【０００４】
このような構成のシャッタ羽根を高速で作動させるに際して、停止時における衝撃を小さくするためには、慣性モーメントを軽減する必要があるが、その必要が最もあるのは、複数枚の羽根のうち一番作動量の大きな羽根である。そのために、その一番作動量の大きな羽根、又はその羽根の方から数えて複数枚目までの羽根の厚さを、残りの他の羽根の厚さよりも薄くすることが、下記の特許文献１に記載されている。また、各羽根は、光軸と直交する平面上で作動するのが理想であるが、実際には光軸方向へも不規則な動きをしながら作動したり、停止時には、ストッパに当接した衝撃で大きく撓んだり傾いたりすることがあるので、特に、露光作動の停止時における後羽根群の各羽根の変形を抑制するために、上記のアームのほかに特別に押えアームという部材を設けることが、下記の特許文献２に記載されている。
【０００５】
【特許文献１】特開平６−１８９５８号公報
【特許文献２】特開平１０−１６１１８２号公報
【発明の開示】
【発明が解決しようとする課題】
【０００６】
二つのシャッタ羽根を備えたフォーカルプレンシャッタの場合には、通常、一方のシャッタ羽根のアームは、それらに枢支されている羽根よりもシャッタ地板側に配置され、他方のシャッタ羽根のアームは、それらに枢支されている羽根よりも補助地板側に配置されている。そして、各々の複数枚の羽根は、一番作動量の大きい羽根（スリット形成羽根）がアーム側となり、一番作動量の少ない羽根が中間板側となるようにして順に配列されている。しかも、各羽根はアームに対し、地板に対するアームの取付側の一端で枢支されている。そのため、一番作動量の大きい羽根はアームと重なる領域が一番少なく、その上、作動中には、アーム側の面、即ち地板側の面が、地板に形成されている露光用の開口部に対向していることになる。
【０００７】
そのため、この一番作動量の大きな羽根は、構成上、他の羽根よりも作動中に地板側に撓み易くなっていて、作動方向側の縁（スリット形成縁）の端面が開口部の縁の端面に衝突し、安定した露光作動が得られなかったり、破壊されてしまったりすることが知られている。また、最近のデジタルカメラの場合には、撮像装置を羽根の作動面に極端に近づけて配置するようにしたものもあるので、そのようなカメラの場合には、撮像装置の前面を傷つけてしまうことがある。そして、このようなことは、シャッタ羽根を一つだけ備えているフォーカルプレンシャッタの場合も同じである。
【０００８】
ところで、特許文献１に記載の発明においては、羽根が特殊な材料で製作されているため、加工上のこともあって、上記したように、複数枚の羽根を全て、一番作動量の大きい羽根と同じ厚さに薄くしてはいない。そのため、一番作動量の大きい羽根を薄くしても、その作動は一応安定し、作動中に開口部の縁に衝突したり、停止時の衝撃などによって破壊されにくい構成になっている。ところが、羽根の材質がどうであろうとも、複数枚の羽根の厚さは、生産上では、同じであることが好ましい。しかし、そうだからといって、複数枚の羽根の全てを、一番作動量の大きい羽根の厚さと同じように薄くすると、上記のように、一番作動量の大きい羽根の作動が不安定になったり、破壊されたりしてしまうようになる。そこで、そのようなことにならないようにするためには、特許文献２に記載されているような手段を講じればよいことになるが、そのようにすると、部品点数が増えて、コストの点で不利になるし、押えアーム自身各羽根に接触して異なる作動をすることから、押えアームの形状や、羽根の走行速度に与える影響など、設計上の検討課題が多くなる。
【０００９】
本発明は、このような問題点を解決するためになされたものであり、その目的とするところは、一つのシャッタ羽根が、一端をシャッタ地板に対して回転可能に取り付けられた複数本のアームと、それらのアームの他端に向けて順に枢支された複数枚の羽根とで構成されているカメラ用フォーカルプレンシャッタにおいて、シャッタ羽根の高速化に対応できるようにするために、複数枚の羽根全部を一番作動量の大きい羽根と同様に薄くしたとしても、特別な部材を用意することなく、その一番作動量の大きい羽根が、作動中や停止時に大きく変形したり破損したりしにくくなるようにしたカメラ用フォーカルプレンシャッタを提供することである。
【課題を解決するための手段】
【００１０】
上記の目的を達成するために、本発明のフォーカルプレンシャッタは、複数枚の羽根の重なりを最大にした重畳位置と最小にした展開位置との間を往復作動することによって露光開口の開閉を行う少なくとも一つのシャッタ羽根を備えており、該複数枚の羽根は、厚さが略同じであって、作動量の大きい順に数えて１番目の羽根と２番目の羽根とでは、該２番目の羽根の剛性が該１番目の羽根の剛性よりも大きいようにする。
【００１１】
その場合、前記１番目の羽根は、ヤング率が３００〜２０００ｋｇｆ／ｍｍ2で、前記２番目の羽根は、ヤング率が５０００〜１２０００ｋｇｆ／ｍｍ2であることが好ましい。また、前記１番目の羽根の材料が、ポリエチレンテレフタレートであり、前記２番目の羽根の材料が、アルミニウム合金又は炭素繊維強化プラスチックであることが好ましい。更に、前記複数枚の羽根が３枚以上の場合には、作動量の大きい順に数えて奇数番目の羽根が、前記１番目の羽根と同じ材料で製作され、偶数番目の羽根が、前記２番目の羽根と同じ材料で製作されているようにすることが好ましい。
【００１２】
また、前記少なくとも一つのシャッタ羽根が、撮影時には同一方向へ順に作動を開始させられる先羽根群と後羽根群の二つのシャッタ羽根である場合は、後羽根群の複数枚の羽根だけが、上記のような各構成をしているようにしても構わない。
【発明の効果】
【００１３】
本発明のフォーカルプレンシャッタのシャッタ羽根は、複数枚の羽根の厚さを略同じように薄くしても、作動量の大きい順に数えて１番目の羽根と２番目の羽根とでは、２番目の羽根の剛性が、１番目の羽根よりも大きいから、特別な部材を設けなくても、１番目の羽根が、作動中や停止時に変形しずらいという利点を有している。
【発明を実施するための最良の形態】
【００１４】
本発明の実施の形態を、図示した実施例によって説明する。尚、上記のように、本発明は、二つのシャッタ羽根を備えたフォーカルプレンシャッタにも、一つのシャッタ羽根を備えたフォーカルプレンシャッタにも適用することができるものであるが、実施例は、それらのうちの二つのシャッタ羽根を備えたフォーカルプレンシャッタである。また、二つのシャッタ羽根を備えたフォーカルプレンシャッタは、銀塩フィルムカメラにも、デジタルカメラにも採用することができるが、実施例は、デジタルカメラに採用された場合で説明する。そして、図１は、露光作動の終了した直後の状態を撮影レンズ側から見た実施例の平面図であり、図２は、図１の右側から見てカメラ内での実施例の配置状態を模式的に示した側面図であり、図３は、セット状態を撮影レンズ側から見た平面図である。
【実施例】
【００１５】
先ず、本実施例の構成を説明する。図１に示されているように、シャッタ地板１は、その略中央部に長方形を横長にした撮影光路用の開口部１ａを有している。図２に示されているように、シャッタ地板１の背面側、即ち撮影レンズＬとは反対側の撮像装置ＣＣＤ側に補助地板２が配置されていて、図示していない手段によってシャッタ地板１に取り付けられている。そして、この補助地板２にも、その略中央部には、撮影光路用の開口部２ａが形成されている。また、シャッタ地板１と補助地板２の間は、シャッタ地板１に取り付けられた中間板３によって仕切られており、シャッタ地板１と中間板３の間に後羽根群の羽根室を構成し、補助地板２と中間板３の間に先羽根群の羽根室を構成している。そして、この中間板３にも、シャッタ地板１の開口部１ａと重なる位置に、開口部２ａと略同じ大きさをした開口部が形成されているが、それらの開口部は開口部１ａよりも若干大きいため、本実施例における露光開口は、開口部１ａによって規制されている。尚、中間板３の開口部は、中間板３が比較的薄い材料で製作されているため、図２においては明示されていない。
【００１６】
図１において、開口部１ａの左側の領域には、円弧状をした二つの長孔１ｂ，１ｃが形成されており、それらの下方端には、ゴム製であって平面形状がＣ字状をした周知の緩衝部材４，５が取り付けられている。また、シャッタ地板１の撮影レンズＬ側の面には、軸１ｄ，１ｅ，１ｆが立設されている。このほかにも、明示されていない二つの軸が立設されていて、それらの二つの軸の先端には、ビス６，７によって支持板８が取り付けられているが、それらのビス６，７と支持板８は、図面を見やすくするために、二点鎖線で示してある。また、シャッタ地板１には、羽根室側にも、軸１ｇ，１ｈ，１ｉ，１ｊが立設されている。更に、シャッタ地板１の上下位置には、三つの孔１ｋ，１ｍ，１ｎが形成されているが、これらは、シャッタユニットをカメラ本体に取り付けるための孔である。
【００１７】
シャッタ地板１の軸１ｄには、合成樹脂製の先羽根用駆動部材９が回転可能に取り付けられていて、図示していない周知の先羽根用駆動ばねによって、時計方向へ回転するように付勢されている。そして、この先羽根用駆動部材９は、被押動部９ａと、駆動ピン９ｂと、取付部９ｃとを有していて、駆動ピン９ｂは、シャッタ地板１の長孔１ｂを貫通して、羽根室内に突き出ている。また、取付部９ｃは、周知であるため図示していないが、その内部に、ばねを介在させて鉄片部材を取り付けている。その鉄片部材は、特開２００２−５５３７９号公報にも記載されているように、支持板８に取り付けられている図示していない先羽根用電磁石に吸着されるようになっており、それによって、先羽根用駆動部材９が、先羽根用駆動ばねの付勢力に抗して、露光作動開始位置に保持されるようになっている。
【００１８】
シャッタ地板１の軸１ｅには、合成樹脂製の後羽根用駆動部材１０が回転可能に取り付けられていて、図示していない周知の後羽根用駆動ばねによって、時計方向へ回転するように付勢されている。そして、この後羽根用駆動部材１０は、被押動部１０ａと、駆動ピン１０ｂと、取付部１０ｃとを有していて、駆動ピン１０ｂは、シャッタ地板１の長孔１ｃを貫通して、羽根室内に突き出ている。また、取付部１０ｃは、上記の取付部９ｃに準じた形状をしており、図示していないが、その内部には、支持板８に取り付けられた図示していない後羽根用電磁石に吸着される鉄片部材が、ばねを介在させて取り付けられている。
【００１９】
シャッタ地板１の軸１ｆには、合成樹脂製のセット部材１１が回転可能に取り付けられている。このセット部材１１は、押動部１１ａ，１１ｂと、被押動部１１ｃとを有していて、押動部１１ａは先羽根用駆動部材９の被押動部９ａを押し、押動部１１ｂは後羽根用駆動部材１０の被押動部１０ａを押すようになっている。また、このセット部材１１は、図示していない復帰ばねによって、反時計方向へ回転するように付勢されているが、図１は、その回転を図示していないストッパによって阻止され、初期位置に停止させられている状態を示したものである。尚、図２においては、これまで説明したような、シャッタ地板１の撮影レンズＬ側に配置されている部材を、一つのブロックとして、二点鎖線で示してある。
【００２０】
次に、先羽根群と後羽根群の構成を説明する。先羽根群は、上記したように、補助地板２と中間板３との間に配置されており、夫々の一端を軸１ｇ，１ｈに回転可能に取り付けた２本のアーム１２，１３と、それらの先端に向けて順に枢支された３枚の羽根１４，１５，１６とで構成されているが、最先端に枢支された羽根１６がスリット形成羽根であって、一番作動量の大きい羽根となっている。また、周知のように、アーム１２に形成された孔には、先羽根用駆動部材９の駆動ピン９ｂが嵌合している。そして、この先羽根群は、図２から分かるように、アーム１２，１３を一番補助地板２側にし、中間板３側に向けて羽根１６，羽根１５，羽根１４の順となるようにして配置されている。また、図１から分かるように、短冊状をした３枚の羽根１４,１５，１６は、アーム１２，１３を取り付けている軸１ｇ，１ｈ側の一端でアーム１２，１３に枢支されている。
【００２１】
他方、後羽根群は、シャッタ地板１と中間板３の間に配置されており、各々の一端を軸１ｉ，１ｊに対して回転可能に取り付けられた２本のアーム１７，１８と、それらの先端に向けて順に枢支された３枚の羽根１９，２０，２１で構成され、最先端に枢支された羽根２１がスリット形成羽根であり、一番作動量の大きい羽根となっている。また、アーム１２に形成された孔には、後羽根用駆動部材１０の駆動ピン１０ｂが嵌合している。そして、この後羽根群は、図２から分かるように、アーム１７，１８を一番シャッタ地板１側にし、中間板３側に向けて羽根２１，羽根２０，羽根１９の順となるようにして配置されている。また、図１から分かるように、３枚の羽根１９,２０，２１は、アーム１７，１８を取り付けている軸１ｉ，１ｊ側の一端でアーム１７，１８に枢支されている。尚、本実施例の二つのシャッタ羽根は、いずれも、２本のアームと３枚の羽根で構成されているが、アームを３本にすることも知られているし、羽根を３枚以外の複数枚とすることも知られているので、本発明は、そのような構成のものにも適用される。
【００２２】
ここで、本実施例の羽根について、より詳細に説明する。但し、本実施例の場合には、先羽根群の羽根１４，１５，１６と後羽根群の羽根１９，２０，２１とは、全く同じ構成をしているので、重複を避けるために、先羽根群の羽根１４，１５，１６についてだけ説明する。先ず。本実施例の場合、羽根１４，１５，１６は厚さが同じである。そして、高速化に対応して安定した作動が得られるようにするために、一番作動量の大きい羽根１６の方から数えて奇数番目の羽根に相当する羽根１４，１６は、合成樹脂材料であるポリエチレンテレフタレートで製作されていて、偶数番目に相当する羽根１５は、金属材料であるアルミニウム合金で製作されている。従って、先羽根群の羽根が４枚構成となった場合には、もう１枚の羽根は偶数番目となるから、アルミニウム合金で製作されることになる。
【００２３】
また、種々の観点から実験し検討を重ねた結果、羽根１４，１６のヤング率を、３００〜２０００ｋｇｆ／ｍｍ2の範囲で選定し、羽根１５のヤング率を、５０００〜１２０００ｋｇｆ／ｍｍ2の範囲で選定するのが好ましいことが分かった。そのため、本実施例の場合にも、各羽根１４，１５，１６のヤング率は、それらの範囲内となっている。即ち、羽根１６は、高速化に対応させるために軽量化を図り、慣性モーメントが小さくなるようにしているが、それによって所定の剛性が得られず、変形し易くなっているため、隣接する羽根１５の剛性を大きくして、羽根１６の変形を抑制し得るようにしている。尚、本実施例の説明では、剛性を、ヤング率に依存する曲げ剛性であらわしている。ここで、曲げ剛性とは、断面形状から算出される断面２次モーメントＩと、材料のヤング率Ｅとの積によって求められるものであって、物体の曲げ抵抗力を表す値である。そして、この曲げ剛性は、断面形状と材料のヤング率から一義的に決定されるものであるから、本実施例のように、各羽根の板厚を同一とした場合には、材料のヤング率の大きい方が高剛性であるということになる。
【００２４】
また、本実施例において、羽根１４，１６をポリエチレンテレフタレート製としたのは、金属材料よりも軽量化に適し、しかも、他の合成樹脂材料よりも耐摩耗性に優れ、且つ加工もし易いからである。また、羽根１５をアルミニウム合金としたのは、金属材料の中では比較的軽量であって安価に入手することができ、しかも、加工がし易いことと、他の金属材料や合成樹脂材料にした場合よりも、ポリエチレンテレフタレート製の羽根１６の変形を好適に抑制することができたからである。しかしながら、本発明は、このような構成に限定されるものではない。同じ厚さであって、羽根１６よりは、羽根１５の方が剛性が大きければ、羽根１６を他の合成樹脂材料や金属材料で製作しても構わないし、羽根１５を他の金属材料や合成樹脂材料で製作しても構わない。その一つの例として、羽根１５を、軽量且つ高剛性である炭素繊維強化プラスチック（ＣＦＲＰ）製とし、羽根１６を、ポリエチレンテレフタレート製にしてみたが、その場合にも、羽根１６の変形を好適に抑制することができた。また、羽根１４は、本実施例のように、羽根１６と同じ材料で製作すれば、その変形を羽根１５によって抑制することができるので問題はないし、先羽根群全体の軽量化に大いに役立つことになるが、他の材料で製作することを妨げるものではない。
【００２５】
次に、本実施例の作動を説明する。図１は、露光作動の終了直後の状態を示したものである。そのため、この状態において、先羽根群の３枚の羽根１４〜１６は、隣接する羽根同士の重なり量を最大にした重畳状態になっていて、開口部１ａの下方位置に格納されている。他方、後羽根群の３枚の羽根１９〜２１は、隣接する羽根同士の重なり量を最小にした展開状態になっていて、開口部１ａを覆っている。このような状態で撮影が終了すると、セット部材１１が、被押動部１１ｃをカメラ本体側の部材によって押され、図示していない復帰ばねの付勢力に抗して時計方向へ回転させられる。
【００２６】
それによって、セット部材１１は、先ず、押動部１１ａが被押動部９ａを押すことによって、先羽根用駆動部材９を、先羽根用駆動ばねの付勢力に抗して反時計方向へ回転させはじめる。そして、その直後には、押動部１１ｂが被押動部１０ａを押すことによって、後羽根用駆動部材１０を、後羽根用駆動ばねの付勢力に抗して反時計方向へ回転させはじめる。そのため、先羽根群の３枚の羽根１４〜１６は、隣接する羽根同士の重なりを小さくしつつ上方へ作動し、後羽根群の３枚の羽根１９〜２１は、隣接する羽根同士の重なりを大きくしつつ上方へ作動していく。そして、先羽根群の３枚の羽根１４〜１６が展開状態となって開口部１ａを覆い、後羽根群の３枚の羽根１９〜２１が重畳状態となって開口部１ａの上方位置に格納された状態になると、各駆動部材９，１０の鉄片部材が夫々の電磁石に接触するが、その段階になるとセット部材１１の回転が停止され、セット作動が終了する。図３は、そのセット状態を示したものである。
【００２７】
次の撮影に際して、レリーズボタンを押すと、先ず、上記の各電磁石に通電される。それにより、各駆動部材９，１０が、その鉄片部材を介して吸着保持されると、カメラ本体側の部材による被押動部１１ｃに対する押圧力が解かれるので、セット部材１１は、復帰ばねの付勢力によってセット位置から反時計方向へ回転し、図１に示された初期位置へ復帰する。その後、二つの電磁石に対する通電が、露光制御回路によって自動的に決められた時間間隔で順に解除されると、先羽根用駆動部材９と後羽根用駆動部材１０とは、強力な付勢力を有する図示していない各々の駆動ばねによって、時計方向へ急速に回転させられ、先羽根群のスリット形成羽根１６と後羽根群のスリット形成羽根２１との間に形成されたスリットにより、撮像装置ＣＣＤの撮像面を露光していく。
【００２８】
このとき、先羽根群の羽根１４〜１６と、後羽根群の羽根１９〜２１は、各々同一平面上を同一姿勢で作動するのではなく、隣接する羽根との重なり量の変化に応じて姿勢を変え、また、その作動に起因する振動などの影響で、種々の方向からの不規則な力を受けることにより、複雑な動きをしながら全体として下方へ作動していくことになる。そして、そのような複雑な動きを最も顕著にさせられるのは、露光量を決めるための重要な羽根であって、作動量の最も大きいスリット形成羽根１６，２１である。
【００２９】
即ち、先羽根群の羽根１４は、露光作動時には、図３に示すように、開口部１ａの下方領域を覆っていて、その下方の辺に沿った部位が予め中間板３と重なっている状態から、下方へ作動することになる。そのため、作動中に、一方の面は中間板３との重なり量を大きくしてゆき、他方の面は羽根１５との重なり量を大きくしていくので、不規則な力を受けても変形させられる度合いは小さい。また、羽根１５の場合は、図３に示すように、開口部１ａの中間領域を覆っていて、下方の辺に沿った部位を羽根１４に重ね、上方の辺に沿った部位を羽根１６に重ねた状態から、下方へ作動することになる。そのため、当初は羽根１４よりも不規則な力に影響され易くなっているが、作動中に、一方の面は羽根１４との重なり量を大きくし、他方の面は羽根１６との重なり量を大きくしていくので、不規則な力に影響を受ける度合いは小さいといえる。
【００３０】
このような羽根１４，１５に対して、羽根１６は、図３に示されているように、開口部１ａの上方領域を覆っていて、その上辺に沿った部位が補助地板２に重なり、下辺に沿った部位が羽根１５と重なっている状態から、下方へ作動することになる。ところが、その作動開始直後には、一方の面は羽根１５との重なりを大きくしていくが、他方の面は、その中央部が補助地板２と全く重ならなくなり、枢支部（左端部）がアーム１２，１３に重なり、先端部（右端部）が補助地板２に重なっているだけとなる。そのため、この羽根１６は、他の羽根１４，１５と異なり、不規則な力の影響を大きく受けて撓み、枢支部と先端部との間の中央部が、補助地板２の開口部２ａ内に入ってしまい、その下辺の端面が開口部２ａの下辺の端面に衝突したり、場合によっては、撮像装置ＣＣＤの前面を傷つけてしまう恐れさえある。しかしながら、本実施例の場合には、羽根１６よりも羽根１５の剛性が大きいため、羽根１５は、不規則な力が生じても羽根１６に押されて変形する度合いが少なく、また、それによって羽根１６を押し返すようなこともなく、羽根１６の変形を抑制するようになっている。そのため、先羽根群は、好適に作動を続けることになる。
【００３１】
他方、後羽根群の場合には、羽根１９〜２１は、図３に示すように、開口部１ａの上方位置に格納された状態から露光作動を開始する。そして、羽根１９は、最終的には開口部１ａの上方領域を覆うために、その一方の面の上辺に沿った部位は常に中間板３に重なっており、他方の面の下辺に沿った部位は常に羽根２０に重なっているため、不規則な力を受けても変形させられる度合いは殆どない。また、羽根２０の場合は、最終的には開口部１ａの中間領域を覆うことになるが、その一方の面の上辺に沿った部位は常に羽根１９に重なっており、他方の面の下辺に沿った部位は常に羽根２１に重なっているため、不規則な力によって変形させられる度合いは小さい。
【００３２】
それに対して、羽根２１は、図３に示された状態から露光作動を開始し、その上辺が開口部１ａ内に臨むようになってからは、一方の面は羽根２０との重なりを小さくしてゆくことになり、他方の面は、枢支部（左端部）がアーム１７，１８に重なり、先端部（右端部）がシャッタ地板１に重なっているだけとなってしまう。そのため、羽根２１は、その段階になると、他の羽根１９，２０と異なり、不規則な力の影響で撓み易くなっており、開口部１ａを覆いきる直前には、枢支部と先端部との間の中央部が開口部１ａ内に入り、下辺の端面が開口部１ａの下辺の端面に衝突してしまう恐れがでてくる。また、その段階になると、羽根２０との重なり量がかなり小さくなっているため、羽根２１の中央部は、羽根２０を押して中間板３側にもふくらみ易くなっている上に、羽根２１の下辺側が中間板３側に接近するように傾き易くなってもいる。そのため、羽根２１の下辺の端面は、上記のように開口部１ａの下辺の端面に対してよりも、むしろ、明示されていない中間板３の開口部の下辺の端面に対しての方が衝突する確率が大きくなっている。しかしながら、本実施例の場合には、羽根２１よりも羽根２０の剛性が大きいため、羽根２０は、不規則な力が生じて羽根２１が変形しようとしても、その変形を抑制するようになっている。そのため、後羽根群も、好適に作動を続けることになる。
【００３３】
このようにして、先羽根群と後羽根群は好適に露光作動を続けるが、その後、先羽根群は、３枚の羽根１４〜１６が開口部１ａから完全に退くと、先羽根用駆動部材９の駆動ピン９ｂが緩衝部材４に当接することによって停止させられ、後羽根群は、３枚の羽根１９〜２１が開口部１ａを完全に覆うと、後羽根用駆動部材１０の駆動ピン１０ｂが緩衝部材５に当接することによって停止させられる。このとき、先羽根群の羽根１４〜１６は、補助地板２と中間板３に挟まれて重畳状態になっているため比較的問題はないが、後羽根群の場合には、羽根１９〜２１が展開状態になっているため、停止時の衝撃で撓み易い状態になっている。特に本実施例のように、一番作動量の大きな羽根２１を軽量化している場合には、羽根２０を同一材料で製作しておくと、その衝撃で羽根２１が大きく撓み、アーム１７，１８との枢支部が破壊されてしまったり、羽根２０との重合部から漏光する恐れがあるが、本実施例の場合には、羽根２０の剛性が羽根２１の剛性よりも大きいため、羽根２１の変形は抑制される。更に、本実施例の場合は、一番作動量の大きい順に数えて奇数番眼の羽根よりも偶数番眼の羽根の方の剛性を大きくしてあるから、たとえ枚数を増やしたとしても、全ての羽根の変形は抑制されることになる。
【００３４】
このようにして、先羽根群に続いて後羽根群が停止すると、上記の露光によって撮像装置に蓄積されていた撮像情報が記憶装置に転送され、一回の撮影が終了する。その状態が図１に示された状態であり、この状態から直ちに上記のようにしてセット作動が行われ、次の撮影に備えることになる。
【００３５】
尚、上記の実施例は、先羽根群を補助地板２側の羽根室に配置し、後羽根群をシャッタ地板１側の羽根室に配置しているが、先羽根群をシャッタ地板１側の羽根室に配置し、後羽根群を補助地板２側の羽根室に配置した場合にも、上記の説明に準じた作用効果が得られる。また、上記の実施例は、二つのシャッタ羽根を備えているが、一つのシャッタ羽根を備えたフォーカルプレンシャッタとする場合には、中間板３と、先羽根群又は後羽根群を除いた構成とすればよく、そのようにした場合にも、上記の説明に準じた作用効果が得られる。
【図面の簡単な説明】
【００３６】
【図１】露光作動の終了した直後の状態を撮影レンズ側から見た実施例の平面図である。
【図２】図１の右側から見てカメラ内での実施例の配置状態を模式的に示した側面図である。
【図３】セット状態を撮影レンズ側から見た実施例の平面図である。
【符号の説明】
【００３７】
１                            シャッタ地板
１ａ，２ａ                    開口部
１ｂ，１ｃ                    長孔
１ｄ，１ｅ，１ｆ，１ｇ，１ｈ，１ｉ，１ｊ  軸
１ｋ，１ｍ，１ｎ              孔
２                            補助地板
３                            中間板
４，５                        緩衝部材
６，７                        ビス
８                            支持板
９                            先羽根用駆動部材
９ａ，１０ａ，１１ｃ          被押動部
９ｂ，１０ｂ                  駆動ピン
９ｃ，１０ｃ                  取付部
１０                          後羽根用駆動部材
１１                          セット部材
１１ａ，１１ｂ                押動部
１２，１３，１７，１８        アーム
１４，１５，１６，１９，２０，２１  羽根
Ｌ                            撮影レンズ
ＣＣＤ                        撮像装置
【図１】
2006208980.tif 000003
【図２】
2006208980.tif 000004
【図３】
2006208980.tif 000005